(57)【要約】動作制御システム（８０）は携帯電話機、コンピューター、エンジンアナライザー（図１）などの電子機器に利用できる。入力装置（１２）により使用者アクセスデータを入力でき読み取り画面（１４）で機器の状態を監視する。プログラム可能な特性選択メンバーにより使用者は少なくとも一個のプログラム可能な特性及び個別の作動時間枠を選択できる。内部メンバーにより使用者選択にもとずく一個又はそれ以上のプログラム可能な特性へのアクセスを制御することで本機器作動を制御し本装置全体或いは一部を作動できる。使用者は二次アクセスコードによりアクセスを制御してＴＶショウ（１５）のような特別事象が指定時間に作動するようプログラムする事ができる。
2006510959.tif 000002
【特許請求の範囲】
【請求項１】
外ケース、電源  内部特性起動メンバーを有する機器用作動制御システムで、この制御装置が
少なくとも一個の一次使用者アクセスコードと、
このプログラム可能な特性選択メンバーがこの使用者が選択した少なくも一個のプログラム可能な特性を有効化できるプログラム可能な特性選択メンバーと、
この少なくともプログラム可能な特性作動期間がこの少なくとも一個のプログラム可能な特性一つ一つに対し使用者設定の少なくとも一個のプログラム可能な特性作動期間と、
このプログラム可能な特性選択とこのプログラム可能な特性作動期間を設定する入力手段と、
この所定の使用者アクセスコードを受けるための使用者身分証明手段と、
この読み取り画面がこの作動制御装置の状況報告を供与する読み取り画面と、この内部制御メンバーがこの入力装置、この電源、このプログラム可能な特性作動期間及びこのプログラム可能な特性選択メンバーと直接交信する内部制御メンバーからなる
装置で
この内部制御メンバーがこのプログラム可能な特性とこのプログラム可能な特性作動時間を使用者が選んだ一個又はそれ以上のプログラム可能な特性へのアクセスを制御する事によりこの機器の操作を制御する
システム。
【請求項２】
この機器が携帯電話機である請求項１の制御システム。
【請求項３】
このプログラム可能な特性が標準作動、時限作動、節電モード、遅延起動及び部分作動の一群の少なくとも一員を含む請求項２の制御システム。
【請求項４】
この部分作動が前もってプログラムした期間中電話をかけられる事及び受けるのを阻止する事を含む請求項３の制御システム。
【請求項５】
この部分作動が前もってプログラムした期間中電話を受けられる事及びかけるのを阻止する事を含む請求項３の制御システム。
【請求項６】
この二次アクセスコードが少なくとも一個の一次アクセスコードを持つ使用者が入力した少なくとも一個のプログラム可能な特性にのみにアクセスできる少なくとも一個の二次アクセスコードを更に含む請求項１の制御システム。
【請求項７】
この機器がテレビである請求項６の制御システム。
【請求項８】
この少なくとも一個のプログラム可能な特性の一つが選択局が見れるようにプログラムする局選択でこの少なくとも一個のプログラム可能な特性作動期間の一つがこの選択局が見られる時間である請求項７の制御システム。
【請求項９】
この機器がコンピューターである請求項６の制御システム。
【請求項１０】
この少なくとも一個のプログラム可能な特性の一つがアクセス可能な特定のコンピュータープログラムの選択であり且つこの少なくとも一個のプログラム可能な特性の作動期間がこの特定コンピュータープログラムが作動する時間である請求項９の制御システム。
【請求項１１】
この機器がディジタルカメラである請求項１の制御システム。
【請求項１２】
この使用者身分証明手段がこの機器から取り除ける請求項１の制御システム。
【請求項１３】
この所定の使用者アクセスコード、このプログラム可能な特性選択メンバー及びこのプログラム可能な特性作動期間が遠隔メンバーによりこの電子機器にプログラムする請求項１の制御システム。
【請求項１４】
この所定の使用者アクセスコード、このプログラム可能な特性選択メンバー及びこのプログラム可能な特性作動期間が除外できるメンバーによりこの電子機器にプログラムする請求項１の制御システム。
【請求項１５】
この最長作動時間が電子機器が作動できる最長連続時間である最長作動時間を更に含む請求項１の制御システム。
【請求項１６】
この最長作動時間が使用者により変更できない請求項１３の制御システム。
【請求項１７】
この読み取り画面がこの電子機器から遠隔である請求項１の制御システム。
【請求項１８】
この時間延長モードが前もってプログラムした期間により現プログラムを延長する時間延長モードを更に含む請求項１の制御システム。
【請求項１９】
錠締めシステムを用いて電子機器の使用を制御する方法で、
この電子機器を起動し、
作動モードを選択し、
使用者コードを入力し、
少なくとも一個のプログラム可能な特性を選び、
プログラム可能な特性作動期間を選び、
このプログラム可能な特性とこのプログラム可能な特性作動期間をこの錠締めシステム記憶装置に保存する
手続きからなる方法。
【請求項２０】
全ての意図したプログラム可能な特性を選択するまで手続きｃ−ｆを繰り返す手続きを更に含む請求項１９の方法。
【請求項２１】
時限作動を可能にするプログラム可能な特性を選択する手続きを更に含む請
求項１９の方法。
【請求項２２】
時計設定によりこの時限作動を設定するよう選択する手続きを更に含む請求項２１の方法。
【請求項２３】
入力開始時間からの作動時間の長さを基にこの時限作動設定を選択する手続きを含む請求項２１の方法。
【請求項２４】
節電モードを有効にするプログラム可能な特性を選択する手続きを更に含む請求項１９の方法。
【請求項２５】
この節電モードに開始時間と終了時間をプログラムする手続きを更に含む請求項２４の方法。
【請求項２６】
遅延開始モードを有効にするプログラム可能な特性を選択する手続きを更に含む請求項２５の方法。
【請求項２７】
遅延開始モードに開始時間と終了時間をプログラムする手続きを更に含む請求項２６の方法。
【請求項２８】
部分作動モードを有効にするプログラム可能な特性を選択する手続きを更に含む請求項１９の方法。
【請求項２９】
所定のプログラム可能な期間中電話をかけることを許可し受けるのを阻止するよう選択する手続きを更に含む請求項２８の方法。
【請求項３０】
所定のプログラム可能な期間中電話の受信を許可しかけるのを阻止するように選択する手続きを更に含む請求項２８の方法。
【請求項３１】
外ケース、電源、内部特性起動メンバーを有する機器用作動制御システムで、この制御装置が
少なくとも一個の一次使用者アクセスコードと、
このプログラム可能な特性選択メンバーがこの使用者が選択した少なくも一個のプログラム可能な特性を有効化できるプログラム可能な特性選択メンバーで、このプログラム可能な特性が
標準作動、
この時限作動が使用者が設定した所定期間中この機器を作動する時限操作で、
この節電モードが使用者の選択期間中この機器の作動を阻止この使用者選択期間終了時にその作動に戻る節電モードで、
この遅延開始が使用者の時間通知までその作動を阻止する遅延開始；この部分作動がこの機器作動に関する一個又はそれ以上の機能を使用者選択が可能にしこの機器の非作動に関する一個又はそれ以上の機能を選ぶ部分操作で
この一群の内少なくとも一つを含み、
このプログラム可能な特性作動期間がこの少なくとも一個のプログラム可能な特
性一つ一つに対し使用者設定のプログラム可能な特性作動期間と、
この入力装置がこの所定の使用者アクセスコード、このプログラム可能な特性選択及びこのプログラム可能な特性作動期間を入力できる入力装置と、
この読み取り画面がこの作動制御装置の現状報告書を提供する読み取り画面と、    この内部メンバーがこの入力装置、この電源、このプログラム可能な特性作動期間及びこのプログラム可能な特性選択メンバーと直接交信する内部制御メンバーからなる
制御システムで
この内部制御メンバーがこのプログラム可能な特性とプログラム可能な特性作動時間を使用者が選んだ一個又はそれ以上のプログラム可能な特性へのアクセスを制御する事によりこの機器の作動を制御する
システム。
【請求項３２】
この電池式電源の状態をこの作動制御装置により監視する電池式電源を更に含む請求項３１の作動制御システム。
【発明の詳細な説明】
【技術分野】
【０００１】
本装置は安全とセキュリティー装置に関し、一旦起動すると電子機器を前もってプログラムした期間動かすことが出来る。ある実施形態では本装置はコード無しでは装置の使用は禁止されているので盗難防止装置として使用され、保護機器の盗難及び転売を防止する。
【背景技術】
【０００２】
電子機器は際だった特徴が無いため容易に転売でき、泥棒にとって誘惑に駆られやすいものである。使用者は携帯電話機やコンピューターなどのようなこれら電子機器に印しを付けるが、盗難機器が合法的な業者により転売されない限り取り戻す望みは全くない。
【発明の開示】
【０００３】
開示の錠締め装置はコンピューター、カメラ、携帯電話機、ビデオレコーダー、ＤＶＤ等のような電子機器及び機械機器、工具、重機器、ガソリン車や更に種々の他の車両に用いる。本装置により所定期間動作可能な或いは不可能な機器は特定の作動特性を選択出来るか或いはコード入力によってのみ許可された動作を完全に停止するかの選択肢を有する。
【０００４】
本装置内の電子回路は開錠及びタイマー動作と組み合わせ機器使用前に開錠する必要がある。作動期間をこの機器にプログラムでき、その期間後機器を作動停止するか或いは逆に特定期間作動停止した後自動的に再起動する事ができる。これによりこの商品の盗難は減少し同時に不正使用を防止する。
【０００５】
本作動制御装置は外ケース、電源、入力装置、少なくとも一個の作動メンバー及び制御メンバーを有する機器に用いる。別チップやプログラム組み込み既存チップのような制
御メンバーは機器固有の入力装置を有し使用者のアクセスコード入力を可能にするか又は携帯電話機ボタンのように機器固有の入力装置を使用するかのいずれかである。好ましい実施形態では携帯電話機、コンピューター、又はカメラスクリーンのような読み取り画面を本機器の状況監視に使用する。読み取りは又音声出力でもよい。制御メンバーは入力装置、読み取り画面、電源及び起動メンバーと交信する。制御メンバーは使用者コード入力なしには起動メンバーへのアクセスを禁止する事により機器の作動を防止する。制御メンバーは又所定時間中テレビの特定チャネルが又他の時間にはその他のチャネルが見れるよう電子機器の内部機能を制御するようプログラムできる。このシステムを二次アクセスコードにより二次アクセスコード所有者のみが装置を起動出来るようプログラムできる。本装置はあらかじめ決めた期間中携帯電話機から呼び出せるがコールインできないとか或いはその逆にする事もできる。電子部品からなるいかなる機器も本開示器具を組み込んで特定期間中どの特性が作動するかを選択的に決める能力を持つことができる。カメラやビデオカメラなどのディジタル機器ではそのディジタル技術の多様性によりその機能は増加しここに一個のディジタル機器に関して開示した機能のいかなるものも他のディジタル機器に組み込む事ができる事に留意すべきである。
【０００６】
制御装置は制御メンバーと交信するプログラム可能なタイマーを含み入力装置に入力した所定期間中選択特性へのアクセスを可能にする。好ましくは全実施形態内でメモリーは不揮発性で電力喪失時の設定喪失を防止する。時計メンバーはもしこの装置に既に内在していなければ、付け加えて時間を追跡し使用者入力によりタイマーを起動し且つ停止できる。携帯電話機、コンピューター、カメラなどでの本機器の作動はマイクロチップ或いはマイクロプロセッサーに依存し、動力工具や他の非プロセッサベース機器の配線を必要としないであろう。錠締め装置の多様性により同時係属出願書ＳＮ０９／１７８，８３７に開示したように、このものは手動工具、電子機器、車両更には携帯電話機、ディジタルカメラ及び非ディジタルカメラなどの機器に使用できる。
【０００７】
開示の発明は多機能を持つプログラム可能な装置に関し限定はされないが、本装置の特定部分へのアクセスを制限し盗難を阻止し所定期間中その使用を制限したり排除するコード化錠締め機構を有する。開示錠締め装置により得られる特有の優位性に加えて、単にその存在だけで安全性は更に優位になる。錠締め装置を備えた商品を購入した人には売り手がコードを持っていなければ、この商品は多分盗まれる事は明白である。開示の錠締め装置は商品の作動を制御し、使用者コードの入力無しでの作動を阻止する。コードへのアクセス無しでは本商品は役に立たなく且つ売れない。
【０００８】
携帯電話機、掌パイロット及びその他の手操作のデータアクセス装置、カメラ、コンピューター、ビデオレコーダー、テレビ、ＭＰ３プレーヤーなどの電子機器は全て転売価値の高い盗まれやすい機器の部類に入る。しかしプログラム可能なチップを用いてこれら高価値機器に本開示システムの優位性を組み込むよう容易に改良できる。代わりにビデオレコーダーやテレビのような機器では、本装置を電源コードや差し込みのような電源に後で組み込める。しかしマイクロチップ、マイクロプロセッサー或いはアナログ技術を用いると使用時刻或いは商品使用時間の頻度を基に使用予定を立てるような種々の機能を監視できる。
【０００９】
錠締め機構は好ましくは鍵或いは他の装置を必要としない形式であり、その結果紛失や持ち運び商品の追加を避けられる。磁気カード読み取り装置、指紋或いは網膜認識、標準キー、電話信号或いはいかなる応用可能な無線技術などのようなキーパッド又は他の錠締め手段によるアクセスが利用できる。本装置のプログラム法は装置の形式、大きさなどに依存する。例えばタッチキー走査法或いは静電データ伝送の他の方法は本装置に容易に組み込まれ、それにより商品関連のデータを追跡ができる。
【００１０】
開示技術は実験室や機器を集中管理化したり使用時に移動するその他の設定に有益である。各従業員は個別化したタッチキーや又は従業員名、起動時刻及び雇用主に必要ないかなる他情報も記録できるその他の無線或いは非無線アクセス手段を持てる。本装置使用に際しセキュリティや訓練水準が必要な場合には、個別化したアクセス装置は本装置を使用できる身分証明書コードを有することができ、その結果未許可作業員による使用を防止
できる。
【００１１】
本装置がディジタルカメラや携帯電話機のような装置の使用に特有なシステム用いてプログラム出来ない時は、タッチキーのような静電データを有する代替えプログラム用“キー”が使用できる。開示技術により雇用主或いは両親がタッチキーに作動時間を含む関連データでプログラムしこのデータを最高水準のプログラム権を持つ人以外は変更できないという利点が得られる。これは前もってプログラムした時間により使用者が時計を監視する責任を除去出来るので、特定使用時間後動作を停止せねばならない機器を使用している時に有利である。作動停止は他の方法でも得られるが、本開示システムはここに説明した更なる優位性を提供し、その結果システムが統合される。
【００１２】
開示装置はコンピューターに装填すると電源と直接接続でき又チップ、ハードドライブ或いは他の記憶装置にプログラムできる；追加時間の購入無しにコンピューターが自動停止するというコンピューター使用時間販売のビジネスが可能になる。家庭での使用において本装置により子供が使用できるコンピューターやテレビのような他の電子機器の時間量又は特定期間の両親よる管理が可能となる。従ってコンピューター、ビデオレコーダー又テレビは宿題時間が済んでからのみ起動出来る。コンピューターは本装置のキーボードプログラミングに特に適するが、キーボードインターフェースは開示の錠締め装置のいかなるものも含む事ができる。本装置のマイクロチップ及び／又はハードドライブに組み込んだプログラムによりキーボードへキー入力することにより作動する簡単なタイマー設定が可能になる。選択肢として直接コード化キーをキーボードに組み込み自動的にプログラムにアクセスし且つ作動、設定変更などが可能となる。コンピューターの締め出しプログラムは従来技術として既知であるが、これらはイエスかノーの手法でコンピューター使用を完全に締め出す。開示装置では無作為に又は特定の予定時間内で任意に装置使用時間量をとぎれるなしに延長出来るよう所定期間中コンピューターへアクセスできる。例えばシステムは所定時刻にコンピューターを立ち上げ特定期間使用後コンピューターは前もってプログラムした起動時刻まで使用できないように設定出来る。これにより両親はコンピューター又は他の電子装置や機器を午後６時から午後１０時まで作動しその後翌日午後６時か又は他のプログラムが応答するまで作動停止するようプログラムした後家を出る事が出来る。時間制約を入力する使用者は使用者コードを有するプログラムを設定し未許可のプログラム変更を防止しても良い。
【００１３】
プログラム可能な本開示特性の一つは携帯電話機と関連して以下に詳述するように部分作動特性である。この特性を用いて使用者は電子機器の部分使用を制限でき、例えばコンピューターを特定期間中ウエブアクセスのような特定プログラムの使用を制限するようにプログラムできる。例えば子供が特定期間以外ネットサーフィンする事を禁止できる。或いはコンピューターゲームは制限時間だけアクセス出来るが、コンピューターは文書処
理や他の宿題関連の活動には使用できる。この特性により使用者プログラムに基づく制限付きでコンピューターを使用できる。更に副使用者身分証明書も電子機器への個々のアクセス許可に使用できる。これは年齢差制限のある子供達には好都合で年下の子供に不許可のプログラムへのアクセスや長距離電話をかける事を年上の子供には許可する。
【００１４】
本開示錠締め装置は又発電機、コンプレッサー、ビデオレコーダーのような賃貸機器に関しても好都合で、賃貸機器を特定期間プログラムしその期間後は自動的に作動停止できる。これにより賃貸機器の盗難を阻止し、その結果非許可使用の防止により、特に大型機器との組み合せ使用では保険料率が低くなる可能性があるから保険料及び賠償費が低くなる。
【００１５】
テレビやビデオレコーダーのような赤外線リモコンを有する電子機器では、タイミング作動装置をリモコンにより作動出来る。一度起動するとプログラムがスクリーン上に現れ既存又は特定キーを用いて作動停止時間、使用者使用期間を設定するか又は期間等を延長出来る。これは制御装置に安価に追加でき使用者の便宜を増す。代わりに制御装置自身スクリーン上に設定プログラムが現れること無しに使用時刻の設定に利用できる。
【００１６】
特定の実施形態でその使用を教示したアナログ、キースキャナー、赤外線、指紋或いは網膜認知などの使用はこの実施形態に限定されないことを留意すべきである。ここに開示した錠締め装置の各実施形態は他のいかなる実施形態と関連して記載したように電子機器、メモリーなどに組み込む事ができる。
【００１７】
図１及び図２に示した手動ドリルを使用者時間制限にもちいた開示機構の説明に用いるが、これは一例に過ぎず本発明を制限する意図はない。電動工具１０は直ぐに使える状態でテンキー１２を組み込んだ形で図１に示すが、その錠締め機構とその他の作動機構はこの技術の熟練者には明白である。
【００１８】
時間は使用機器及びその最終用途に適応する手段により設定できる。例えばその時間は特定キーを繰り返し押し、所定の増分だけ時間を飛ばす事で設定出来る。代わりに“エンター”キーを備えて開錠コード入力、続いて所定期間入力を許可する。好ましくは全時限錠締め装置は商品の電池が切れるか又は除去した場合にプログラム命令の喪失を防止できる非揮発性メモリーを有する。これは完全放電に際し時々電池の完全充電が必要な再充電可能な手動工具ではより重大である。
【００１９】
錠締めコードを登録し且つ作動時間をプログラムするマイクロチップを組み込む事により更に種々の他の工具機能を監視する能力が加わる。例えば図１の発光ダイオード表示部１４を含む事により残り作動時間を示し、且つもし必要なら工具の状態を示す。その状態は例えば現電池残量（再充電及び放電中の両者）、空圧工具使用時の残留圧力、ドリルの回転数や方向などを含む。これは再充電可能な電池状態の監視に最適な使用である。多くの再充電可能な電池は再充電前に完全放電しなければ完全充電されないので、この充電監
視装置により電池の最適使用と管理が可能になる。電池再充電監視用の再充電装置が発光ダイオードを備えることでこの装置上の発光ダイオードが充電していることを再確認するのに役立つ事をさらに留意すべきである。
【００２０】
図２に内部起動装置４０の一設計図を示す。錠締めアーム４８は上ケース側部４２と下ケース側部４４間に支持する。錠締めアーム４８が使用時に後退するとバネ張力５０によりソレノイド接点５６がソレノイド５２と接触するように設計されている。一旦錠締めアーム４８がはずれると、ソレノイド接点５６のソレノイド５２との接触ははずれる。ソレノイド５２は制御器８０をへて電池１０８（図５）から動力を受けるが、制御器の一例を図３により詳しく示す。図４の回路図例から判るように、制御器８０は中央演算処理所として働き、全入力及び出力は制御器８０を通過する。制御器８０はキーパッド配線１００によりテンキー１２のような錠締め機構と直接接続している。電池配線１０２及びモーター配線１０４は又制御器８０と繋がる。一旦テンキー１２のような錠締め手段が起動すると、すべてが接続され動力が電動工具１０の特定運転者に自由に行きわたる。重要なのは錠締め手段と制御器８０間の相互作用にあるから、正確な配線回路図は重要ではない。手動工具１０内部は図５に示すように従来のような間隔であり、制御器８０を取手付近に配置する。この実施形態では種々の接続線１００，１０２及び１０４が露出しており、盗難時にはケースを開け接続線を切断し制御器８０を迂回するように交差する。泥棒がケースを開け制御器８０を迂回するのを防止するためケースは多くの異なる実施形態が可能な安全ロックキーを備える。一実施形態では錠締めメンバーを組み込み、錠締め線１５６で制御器と接続し、錠締めコード、キー又は他の互換性のある方法で動作停止する。制御器８０は例えば別コードを入力するか又は所定期間既存コードの最終番号を押し続けることによりケースを外すようプログラムできる。ケース内部へのいかなる未許可アクセスを防止する点で別コードが好ましい。
【００２１】
安全ロックキーの代替え実施形態ではソレノイド１２６と配線１２２は図６に示すように領域１２８として示したエポキシ樹脂内に包む。配線１２２をエポキシ樹脂内に包む事により、この装置を配線し直し且つ制御器１２４を迂回することは出来ない。技術的に知られている他の材料もエポキシ樹脂の代わりに使用できる。エポキシ樹脂領域１２８の配置を容易にするため、モーター１２０の配線１２２をソレノイド１２６に出来るだけ近くに配置した制御器１２４に隣接したモーターケーシングから外へ出す。この改造配置により保護領域が減りその結果材料及び労賃が減る。電池１３０配置の改善が困難なとき、場合によっては電池配線１３２を覆いにくくなる。しかし制御器１２４及びソレノイド１２６両者がエポキシ樹脂で包まれている場合、電源接続へのいかなるアクセスもあり得ないので電池配線１３２を切断する意味は無くなる。
【００２２】
図７に空圧工具２００に用いた錠締め装置を示すが、この装置はプロパン、ガス、ジ
ーゼル工具や機具にも使用できることを留意すべきである。図に示すように制御装置２０２は空圧工具の取っ手２０４に位置している。図４（電池）及び図８（空圧工具）の回路図例から判るようにこの二者間の配線には殆ど差がない。上述のように図４の回路図ではタッチキー配線１００は電池配線１０２とモーター配線１０４と同様に制御器８０に進む。空圧工具やその他の取り外し電源装置では、タッチキー配線１５０とソレノイド１５４配線は制御器１５２に進み更に運転者につながり、電池とモーター接続が除去される。
【００２３】
これまで記述したように本開示装置は容易に電子機器に組み込める。機器のプログラミングは多くの方法で可能であり技術の変化に伴い更なる方法が明白になり且つこの技術の熟練者には明白である。
【００２４】
書き換えスワープカードは評判が高くなりつつあり本開示装置に容易に組み込める。カードはコンピューターや掌又は遠隔制御のようなその他の応用装置を用いて新しいコードに書き換えられる。例えばコンピュータープログラムは本開示技術を組み込んだ電子機器全てに適応するコードを含む。使用者は各装置に組み込んだ機能を選択しカードにその機能を書き込む。そこで使用者は各装置がそのコードを認識し他装置のプログラムを無視するように同じスワイプを用いて利用可能な各電子機器にプログラムできる。代わりにディジタルカメラに使用されているような小さいハードドライブを用いて種々の電子機器にプログラムできる。
【００２５】
図９（図１５）の回路図はコンピューター、ビデオレコーダー、テレビなどに組み込まれた装置用の電子部品例である。明らかなように盗難防止装置の基本機能は電池作動、空圧或いは電動工具類或いは他の装置に使用されているものと同じである。これまでに開示した回路図のようにタッチキー配線３０２は制御器３０４に入る。しかしこの実施形態では電気配線３０６はラッチリレーワイヤー３０８により制御器３０４と接続する。図１０（図１６）の配線図は図９（図１５）に開示した電子見取り図例を示しアナログ機能をアナログ配線３５０により本装置に組み込む。
【００２６】
これまで記述したように携帯電話機は盗難防止が困難な小さい大きさの高価値商品である。大抵の人は常に自分の電話機を置き去りにするのでオンオフ作動型ロックの実装では盗難を防止できないであろう；電話機は盗まれると多分スイッチが入れられ泥棒は単に電話機のスイッチを入れっぱなしにするであろう。本開示システムを組み込むと、泥棒はあらかじめ指定した時間に電話機の作動中止を停止できず一旦この時間が終了するとこの電話機は使用できない事が判るであろう。本開示システムを用いて使用者は所定時間が過ぎるか又は代わりに事前にセットした時間に電話機を永久作動停止するようプログラムできる。例えばこれにより使用者は午後９時に或いは代わりにタイマーが単にプログラム時から３時間後に作動停止するよう本システムに伝えることが出来る。一旦作動停止すると本装置はアクセスコードの再入力を必要とする。本開示システムは更に使用者が電話機を
所定時間で作動停止し、期間終了時に自動的に再起動するよう設定出来る。所定期間で電話機の作動を切りその後自動的に再起動する能力は会議、映画或いは電話機のスイッチを切る必要のあるその他の活動への参加者に便利である。電話機は自動的に再作動するので、使用者は電話機に再度スイッチを入れるのを心配する必要がない。好ましい実施形態では電話機に電話を受けるかかけるかのいずれかを、更には標準着信／送信機能を設定出来る。かくしてもし電話機を貸し出し電話機所有者が自分の電話を他人に傍受されたくなければ、この電話機に電話機所有者の着信電話全てを留守番電話か又はその他の自動転送場所に転送するように設定でき、他方では電話機保有者が電話を外にかけることを可能にする。逆モードでは電話機保有者は電話を受信できるが、外にかけるには電話機を使用できない。
【００２７】
最大級のセキュリティのためここに開示したプログラムするためのコードは好ましくはハードドライブやマイクロチップ等のように電話機或いは他装置の永久記憶装置上にあり且ついかなる一時的ソフトウエアー、電話カード或いはその他の取り外し可能なシステムにもっぱら依存しない事に留意すべきである。
【００２８】
遅延起動をいかなる装置にプログラムして特定時間に或いは特定量の時間が経過後起動することが出来る。従って建築現場で用いる電気工具のような応用では、現場監督は工具を３０分内に起動し更に８時間作動し続けるようプログラムできる。
【００２９】
いかなる電子機器でも命令は種々の方法で設定できる。ディジタルカメラや携帯電話機のような画面を内蔵する機器では、画面は既存設定を監視し新しい設定をプログラムするのに利用できる。画面無しの機器では外部発光ダイオード表示部、音声起動又は本装置と使用者間で交信出来るその他の方法を組み込める。既存命令ボタン又はプログラムボタンを用いて本装置にプログラムしたり追加ボタンを製造時にそのデザインに組み込む事が出来る。更に遠隔、赤外線、ブルートゥース、又はその他の有線又は無線装置をプログラムする手段として利用できる。
【００３０】
携帯電話機にプログラムする時の使用者の手順例を図１１（図１８）に図示する。一旦本装置が起動すると６００、本システムは使用者が錠締めシステムを起動したいか６０２或いは既に起動しているならシステム７０１を作動停止するのかを聞き、後者の場合装置の動作を停止する。
作動停止
もし使用者がシステムの動作停止６０３又は７０１を選ぶと、個人コードを単に入力し６０５又は７０３本システムはメーカー設定期間の間標準操作に戻る。しかしもし使用者の気が変わるか或いは間違った選択をした場合には、“いいえ”を指示しプログラムした特性が現設定としてそのまま残る。もし使用者が錠締めシステムを単に動作停止するとここに開示の安全課題は否定されることに留意すべきである。それ故好ましい実施形態ではメーカーは電話機の連続作動時間を最大量に設定し、その時間後は自動的に切れるように
する。この最長作動期間は好ましくは携帯電話機だけでなく本開示錠締めシステム使用の全装置に適用する。代わりに使用者は最長時間を別コードを用いて標準プログラミングで単一又は多重使用のいずれかに設定出来る。図１３（図２０）に本システム再設定の追加選択肢が加えられ、使用者が本システムを作動停止するか再設定８０３出来る。もし本システムが動作停止した場合には、使用者により自分の個人コードを入力し８１２動作停止８１２か又は再設定８１４のいずれを望むかを選択する。動作停止８１２を選ぶとシステムは標準操作８１０に進み、再び最長操作時間の好ましい制限を組み込む。使用者が再設定８１４を選ぶとシステムは時限操作手順８１６にすすみ、システムは図１３（図１８）に示すように矢印Ａ１０００及びＡ１００２に従って進む。矢印Ａ１００４はプログラム選択肢の最終点で“いいえ”選択から元に戻る役目を果たす事に留意すべきである。
作動
もし使用者が“いいえ”と答えて錠締めシステムを起動６０２すると、図１３（図１８）に示すようにシステムは個人コードを要求し６０４もしコードが正しければ、再び最長操作期間の間標準操作６１０に進む。しかしもし使用者が“はい”と答えると、システムは個人コード入力を要請し６０４もし正しければ、使用者は選択可能な幾つかのモードを得る。これらのモードはスクロールにより見ることでき、画面サイズによるが全てが表示され矢印キーで選択出来る。この図に関してここで検討した手順は決して本発明を制限しようとするものではなく他の順序や代りのやり方などを組み込む事が出来ることに留意すべきである。
【００３１】
時限作動モード６１４により使用者は時計設定６３６又は分数６４０を用いて本装置の作動を停止できる。時計設定６３６を選択した場合には、使用者は装置が作動停止する日時６３８を入力する。もし分６４０要素を選んだ場合には、作動停止前の分数が要請される６４２。好ましくはあらかじめセットした最長操作時間が優先しその後再起動にはコードが必要になる。応答として“いいえ”を選択すると節電モード６２０作動が提示され、もしこれを入力すると使用者は開始時刻６４４と終了時刻６４６を設定しその間本装置が作動出来なくする。“いいえ”にすると再度節電モード６２０を迂回し遅延開始６２６モードに進み使用者は入力時刻以後の時刻に開始時刻６４８の開始を設定出来る。終了時刻６５０は節電モード終了時刻６４６と同様である。部分作動モード６３４では使用者はこの装置で電話をかける事６５２と電話を受信する事６５４を可能にする。電話をかける６５２作動を選ぶと、使用者は開始時刻６５６と終了時刻６５８を入力しその間電話が可能である。電話の受信６５４でも開始時刻６６０と終了時刻６６２が入力出来る。使用者がいずれの要素も選択しない場合本システムは錠締めシステムモードの起動６０４に戻る。
【００３２】
最終コストによるが本装置は開始時刻６４４から終了時刻６４６の間作動しない節電モード６２０や本装置を午後８時に作動停止６３８する遅延作動６１４のような異なる多重命令を受け入れるようプログラムできる。
延長時間
本装置は図１３（図２０）に示すように延長時間特性８２２を備えることができ、本装置はこれまで指摘したようにこの特性を備えられるが、セキュリティの考えを無視するような終わりのない延長時間を容認する事は出来ない事に留意すべきである。この実施形態では使用者は本装置を起動し８０２、システムの起動／再設定を選択し８０３、個人コードを入力すると８１２、延長時間の選択８２２が現れる。延長時間選択８２２では使用者は現プログラム時間を延長し最初のプログラム時間に等しいか或いはそれより短く出来る。延長時間量はメーカーが決定し使用者は変更出来ないであろう。例えば電話機は前もってプログラムした最長作動期間の満了時か或いはあらかじめセットした延長数８２２のあと作動停止できる。
【００３３】
図１２（図１９）では以前の図に示した特定開始時刻を入力するよりむしろデフォルト時間が入力されている。それ故一旦使用者が装置を起動すると７００、確実に応答して錠締めシステムが起動し７０２、個人コードを入力する７０４。時限操作モードを選択すると７０６デフォルト開始時刻７０８が表示され、使用者は時間を分単位７１２で又は時間単位７１４で増加７１０又は減少７１８する機会を得る。分及び時間の使用は一例に過ぎず時間区分は日、週或いはメーカー選択のいかなる増加量でも良い。デフォルト終了時刻７１６は同様に調整する。この図の各モードはデフォルト時間選択を提供するが、図１２（図１９）に示したデフォルトモードは図１１（図１８）に示したタイマー設定モードと組み合わせる事も出来ることを留意すべきである。代わりに使用者はデフォルト設定かタイマー設定を選択する事が出来る。
【００３４】
図１２（図１９）はカメラ、テレビ、コンピューター及び単一操作のみを有するその他装置により適用できるであろう。換言すると携帯電話機の送信と受信或いはビデオレコーダーの録画と再生のような二重作動を持たない。図１２（図１９）に開示したシステムは図１１（図１８）に説明したのと同じ方法で作動停止出来る事を留意すべきである。
【００３５】
図１４（図２１）の実施形態では使用者は一個或いはそれ以上の特定事象とその運転時間をプログラムできる。ここに使用されているようにこの事象はコンピュータープログラム、テレビショー、ラジオ局又は電子機器により見たり聞いたりするその他のいかなる特定事象を含む。例えば１２才の子供は午後７時と就寝時刻の間特定のショーを見ることができるのみで、就寝時刻にはテレビはもはや使用できないであろう。これを達成するには使用者は装置を起動した後９００プログラムするのか９３４見るのか９３２を聞かれる。プログラムを入力すると９３４使用者に錠締めシステムを起動するのか９０２又はシステムを作動停止するのか９０３を聞く。以前の実施形態にあるようにもし使用者がシステムを起動しないように決めると、個人コード９０４が要請され本装置は再び最長運転期間で
標準操作に進む９１０。もし使用者がプログラムした動作に進みたければ６１４、開始時間９４０，終了時間９４２、使用者コード９４６及びプログラムコード９５２を入力する。これにより本システムに使用者コード９４６に合致の使用者が開始時刻９４０にプログラムコード９５２を入力した番組を見ることが出来るよう伝える。プログラミングを容易にするため多重使用者コード９４６を入力したりリストから除外できる。一旦プログラムコード９５２を入力すると、使用者はプログラミング事象９１４を繰り返すか９４８或いはその事象を終了できる９５０。プログラムした事象９１４に戻ると、使用者は他の事象をプログラムするか又は図１２（図１９）に示した例のように本装置に含まれるその他のモードを継続する事が出来る。代わりに次のモード９５４にプログラムコード９５２要素から直接アクセス出来る。
【００３６】
もし使用者が見たければ９３２、使用者コード９３０を入力した後システムは前もってプログラムした事象を見ることを許可する。このシステムは主としてテレビ及びコンピューターで使用されるが、他の応用もこの技術に熟知した人には明白である。
【００３７】
開示した本発明の一つの利用として会社保有工具、機具、コンピューター、モーテル用テレビやビデオレコーダー等を使用する作業者の商業界がある。工具或いは他の機具を全出番の間作動するよう朝起動し、そのあと作動停止する。これにより外部関係者と同様従業員による盗難を防止する。更に毎朝工具を再起動する事により、故障した機具の使用が防止できるよう“安全点検”が起動に組み込まれる。
【００３８】
本錠締め装置は更に自転車、買い物カート、車椅子などに使用できる。しかしここに開示の錠締め装置は自転車ではペダルの停止動作で操作されるから、本装置は自転車や足ブレーキを有する他の商品には推奨されない事に留意すべきである。本装置が使用中に起動した場合、使用者はブレーキをかけられない。ここに用いた例は自転車であるが、開示のように本装置は種々の他の車輪付き機具に容易に応用できる。自転車或いはその他の応用可能な機具に使用する錠締め装置は好ましくは重量約１ポンドかそれ以下である。
【００３９】
図９，１０及び１１に車両に用いる手動型錠締め装置２００を図示し自転車の場合を示す。錠締め装置内の錠締め機構は改ざん防止のため保護ケース２０２内に配置する。ケース２０２は前サポートと後サポートの連結標準継ぎ手の代わりに現在使用の技術で前フレーム２３０と後フレーム２３２に溶接する。ケース２０２は錠締め装置２００を入れるため標準ケースよりやや大きい。ペダル車軸２０４はケース２０２を貫通し既知技術でペダル２３６に取り付ける。咬合ディスク２０８はディスク２０８を車軸２０４に取り付けられるよう中心に受け穴を有する。ディスク２０８は車軸２０４に溶接し自転車をこぐとディスク２０８が車軸２０４と一緒に回転する。ディスク２０８はその周囲に一連の受け穴２２２を有する。受け穴２２２は錠締め支柱２１６内に入れた錠締め棒２１０を受け入れる大きさである。錠締め支柱２１６は棒２１０の移動を防ぐようケース２０２に固定しその結果一旦棒２１０が錠締め位置にくるとペダル２３６の移動を阻止する。鍵がかかっていない位置にくると、錠締め棒２１０は錠締め支柱２１６に引き込まれる。一旦鍵のかかった位置にくると、棒２１０はディスク２０８の受け穴２２２とかみ合ってペダル２３６の回転を阻止する。錠締め支柱２１６は使用者が錠締めモードでペダルを踏もうとしたとき支柱２１６がはずれるのを防止するようケース２０２に確実に取り付けねばならない。更に錠締め棒２１０は棒２１０がポキッと折れたり或いは曲がるのを防止するに十分な強度を持たねばならない。図９の実施形態では棒２１０はキーロック２０６或いは他の機械操作型装置により錠をかけるか又はかけないかのいずれかの位置に配置する。キーロック２０６に応答して鍵締め棒２１０が移動する内部構造は扉用本締めボルトの機構と類似であり他の方法はこの技術に熟知した人には既知である。
【００４０】
問題が発生した場合の本錠締め装置修理能の提供に関して；底プレート２１４を本錠締め装置２００に組み込む。図示の底プレート２１４は錠締めプレート２２０に固定した回転ロック２１２を有する。フランジ２１８がケース２０２の空きスペースに延び鍵のかかった位置に回転したとき錠締めプレート２２０を支持する。回転ロック２１２の回転により錠締めプレート２２０をフランジが外れる位置に移動し、その結果底プレート２１４が取り外される。底プレートの錠締め機構は底プレートをケースにロックする方法の一例であり既知技術の他の方法を用いることも出来る。
【００４１】
自転車用錠締め機構の自動実施形態を図１２−１４に示す。咬合ディスク３０８を前述のようにペダル車軸３２４に溶接する。図９の手動ロックよりむしろ相互に働く錠締め棒３２６を電池作動ソレノイド３０４で作動する。ソレノイド３０４は外ケース３０２に確実に取り付けたケーシング３０６を用いてその位置に保持する。これまで記述したように錠締め棒３２６は使用者が自転車ペダルを踏もうとしてかかる圧に耐えられねばならない。ソレノイド３０４作動用電池３４０は前支持部３４２か又製造に便利な他の位置内に入れる。電池作動ソレノイドの使用で図１の手動工具使用で開示したようにタイマーが使用できる。自転車を時間か日単位で貸し出す会社のとっては自転車が店から持ち去られた時にタイマーを起動し返却した時に時間を読み計算出来るのでアナログタイマーが便利である。タイマーの読み取り、入力法などは前支持部３４２又は後支持部３４４のいずれかに組み込める。
【００４２】
基板３１２では図９の実施形態の代替え設計を用いる。この実施形態では基板３１２は二重回転棒３２０と３２２に取り付けたキーロック３１４を備へている。ケース側部３０２は回転棒３２０と３２２と相互作用する大きさのフランジ対３１８と３１６を備えている。従ってキーロック３１４を回すと、棒３２０と３２２はフランジ対３１８と３１６との相互作用からはずれ、その結果基板３１２が外れる。
【００４３】
特別な作動要件及び情勢に合致するよう変更したその他の改良及び変形はこの技術に
熟知した人に取っては明白であるので、本発明は開示目的に関する選択実施例に限られるとは考えられず、本発明の真の精神と範囲を逸脱しない全ての変更及び改善を対象とする。
【図面の簡単な説明】
【００４４】
【図１】錠締め機器を組み込んだ手動工具例の側面図であり；
【図２】本発明の錠締めアーム内部とソレノイドの断面図であり；
【図３】制御配置例の平面図であり；
【図４】手動工具に用いた錠締め装置の配線例回路図であり；
【図５】図１の手動工具内部の側断面図であり；
【図６】開示錠締め装置使用の手動工具の代替え実施形態の側断面図であり；
【図７】空圧工具システムに用いた本装置の側面図であり；
【図８】空圧工具と一緒に使用する錠締め装置に用いる配線回路図であり；
【図９】電子機器に用いた配線回路図であり；
【図１０】アナログ機能を組み込んだ錠締め装置に用いる配線回路図であり；
【図１１】多作動装置をプログラムするための流れ図であり；
【図１２】単一作動装置をプログラムするための流れ図であり；
【図１３】リセット選択肢を有する電子機器をプログラムするための流れ図であり；且つ
【図１４】特定事象、時間及び使用者を指定する電子機器をプログラムするための流れ図である。
【図１】
2006510959.tif 000003
【図２】
2006510959.tif 000004
【図３】
2006510959.tif 000005
【図４】
2006510959.tif 000006
【図５】
2006510959.tif 000007
【図６】
2006510959.tif 000008
【図７】
2006510959.tif 000009
【図８】
2006510959.tif 000010
【図９】
2006510959.tif 000011
【図１０】
2006510959.tif 000012
【図１１】
2006510959.tif 000013
【図１２】
2006510959.tif 000014
【図１３】
2006510959.tif 000015
【図１４】
2006510959.tif 000016
【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
外ケース及び電源有する装置用作動制御システムで、この制御システムが
ａ．少なくとも一個の一次使用者アクセスコードと、
ｂ．起動／動作停止メンバーと、
ｃ．少なくとも一個のプログラム可能な特性と、
ｄ．この使用者のプログラム可能な特性選択メンバーがこの使用者が選択した少なくも一個のプログラム可能な特性を有効化できる使用者のプログラム可能な特性選択メンバーと、
ｅ．この使用者のプログラム可能な特性起動期間が少なくとも一個のプログラム可能な特性の一つを使用者が設定する少なくとも一個の使用者のプログラム可能な特性起動期間と、
ｆ．この入力手段がこの使用者アクセスコードとこのプログラム可能な特性選択とこのプログラム可能な特性起動期間を入力する入力手段と、
ｇ．この内部制御メンバーがこの入力装置、このプログラム可能な特性作動期間及びこのプログラム可能な特性選択メンバーと直接交信する内部制御メンバーを有する
制御システムで        
この内部制御メンバーがこのプログラム可能な特性使用者選択とこのプログラム可能な特性作動時間の使用者選択による一個又はそれ以上のプログラム可能な特性へのアクセスを制御する事によりこの機器の操作を制御する
システム。
【請求項２】
この状況画面がこの作動制御装置の報告書を提供する状況画面を更に含む請求項１の制御システム。
【請求項３】
この機器が携帯電話機である請求項２の制御システム。
【請求項４】
このプログラム可能な特性は標準作動、時限作動、節電作動、遅延始動及び部分作動の一群の少なくとも一員を含む請求項３の制御システム。
【請求項５】
この部分作動が電話をかける事は出来るが受けるのは阻止する事を含む請求項４の制御システム。
【請求項６】
この部分作動が前もってプログラムした期間中作動出来る請求項５の制御システム。
【請求項７】
この部分作動が着信電話の受信と送信電話の阻止からなる請求項４の制御システム。
【請求項８】
この部分作動が前もってプログラムした期間中作動出来る請求項７の制御システム。
【請求項９】
少なくとも一個の使用者アクセスコード中の少なくとも一つがこのプログラム可能な特性をプログラムする一次コードである請求項１の制御システム。
【請求項１０】
少なくとも一個の使用者アクセスコード中の他のものが少なくとも一個のプログラム可能な特性にアクセスできる二次コードである請求項９の制御システム。
【請求項１１】
この機器がテレビである請求項４の制御システム。
【請求項１２】
この少なくとも一個のプログラム可能な特性の一つが選択局が見れるようにプログラムする局選択で且つこの少なくとも一個のプログラム可能な特性作動期間の一つがこの選択局が見れるよう時間を予定する請求項１１の制御システム。
【請求項１３】
この機器がコンピューターである請求項４の制御システム。
【請求項１４】
この少なくとも一個のプログラム可能な特性の一つがアクセス可能な特定のコンピュータープログラム選択であり且つこの少なくとも一個のプログラム可能な特性の作動期間がこの特定のコンピュータープログラムが作動する時間を予定する請求項１３の制御システム。
【請求項１５】
この機器がディジタルカメラである請求項１の制御システム。
【請求項１６】
この入力手段がこの機器から取り除ける請求項１の制御システム。
【請求項１７】
この少なくとも一つの使用者アクセスコード中の一つと、このプログラム可能な特性選択メンバーと、このプログラム可能な特性作動期間を遠隔メンバーによりこの電子機器にプログラムする請求項１の制御システム。
【請求項１８】
この少なくとも一つの使用者アクセスコード中の一つと、このプログラム可能な特性選択メンバーと、このプログラム可能な特性作動期間を除外可能なメンバーによりこの電子機器にプログラムする請求項１の制御システム。
【請求項１９】
この時間延長モードが現作動期間を前もってプログラムした期間により延長する時間延長モードを更に含む請求項１の制御システム。
【請求項２０】
この最長作動時間が連続時間延長モードの最大値であるように作動する最長作動時間を更に含む請求項１９の制御システム。
【請求項２１】
この最長作動時間が使用者変更できない請求項２０の制御システム。
【請求項２２】
この読み取り画面がこの電子機器から遠隔である請求項１の制御システム。
【請求項２３】
この少なくとも一個の使用者アクセスコード中の少なくとも一つが一次アクセスコードであり、この一次アクセスコードによりｂ、ｃ、ｄ、e及びｆにアクセスできる請求項１の制御システム。
【請求項２４】
この少なくとも一個の使用者アクセスコード中の少なくとも一つが二次アクセスコードであり、この二次アクセスコードによりｂとｆにアクセスできる請求項１の制御システム。
【請求項２５】
この使用者選択の標準作動によりこの電子機器が以前にプログラムした手順に戻れる請求項１の制御システム。
【請求項２６】
錠締めシステムを用いて電子機器使用を予定する方法で、
ａ．この電子機器を起動し、
ｂ．作動モードを選択し、
ｃ．一次使用者コードを入力し、
ｄ．少なくとも一個のプログラム可能な特性を選び、
ｅ．プログラム可能な特性作動期間を選び、
ｆ．このプログラム可能な特性とこのプログラム可能な特性作動期間をこの錠締めシステム記憶装置に保存する
手続きからなる方法。
【請求項２７】
使用者選択の全プログラム可能な特性を入力するまで手続きｃ−ｆを繰り返す手続きを更に含む請求項２６の方法。
【請求項２８】
この特性作動期間が特定の起動及び動作停止時間を入力する事により設定する請求項２６の方法。
【請求項２９】
この特性作動期間がプログラム時間の経過時間に基づいて設定した請求項２６の方法。
【請求項３０】
このプログラム可能な特性が節電モードを有効にする請求項２６の方法。
【請求項３１】
この節電モードに開始時間と終了時間をプログラムする手続きを更に含む請求項３０の方法。
【請求項３２】
このプログラム可能な特性が遅延開始モードを有効にする請求項２６の方法。
【請求項３３】
遅延開始モードに開始時間と終了時間をプログラムする手続きを更に含む請求項３２の方法。
【請求項３４】
このプログラム可能な特性が部分作動モードを有効にする請求項２６の方法。
【請求項３５】
使用者の前もって決めたプログラム可能な期間中電話をかけるのを可能にし且つ受けるのを阻止できるように選んだ手続きを更に含む請求項３４の方法。
【請求項３６】
使用者の前もって決めたプログラム可能な期間中電話の受信を可能にし且つ送信を阻止できるように選んだ手続きを更に含む請求項３４の方法。
【請求項３７】
外ケース、電源  内部特性作動メンバーを有する機器用作動制御システムで、この制御システムが
この少なくとも一個の一次使用者アクセスコードが使用権及びプログラム権を持つ少なくとも一個の一次使用者アクセスコードと、
この少なくとも一個の二次使用者アクセスコードが使用権のみを持つ少なくとも一個の二次使用者アクセスコードと、
このプログラム可能な特性選択メンバーが少なくも一個のプログラム可能な特性をこの使用者が選択出来るようになプログラム可能な特性選択メンバーで、この少なくとも一個の使用者のプログラム可能な特性が        
標準作動、
この時限作動が使用者設定の所定期間中この機器を作動する時限作動、
この節電モードが使用者選択期間中この機器作動を禁止しこの使用者選択期間終了時にその操作に戻れる節電モード、
この遅延開始が使用者の時間通知までその操作を禁止する遅延開始で、
この部分作動がこの機器作動用の一個又はそれ以上の機能を使用者選択を可能にしこの機器の非操作用の一個、又はそれ以上の機能を選ぶ部分操作の
一群から選んだ特性であり、
このプログラム可能な特性作動期間が少なくとも一個のプログラム可能な特性一つ一つに対し使用者が設定する少なくとも一個のプログラム可能な特性作動期間と、
この入力装置がこの所定の使用者アクセスコード、このプログラム可能な特性選択及びこのプログラム可能な特性作動期間を入力できる入力装置と、
この読み取り画面がこの作動制御装置の現状報告書を提供する読み取り画面と、
この内部メンバーがこの入力装置、この電源、このプログラム可能な特性作動期間及びこのプログラム可能な特性選択メンバーと直接交信する内部制御メンバーからなる
制御システムである制御システムで、
この内部制御メンバーがこの少なくとも一個のプログラム可能な特性選択メンバー及びこのプログラム可能な特性作動時間への一次使用者コード所有使用者のプログラムアクセスを制限し且つこの一次アクセスコード所有使用者によるこの一つのプログラム可能な特性、この部分作動、及びこの少なくとも一個のプログラム可能な特性作動期間のプログラムに基づいてこの一個又はそれ以上のプログラム可能な特性へのこの二次アクセスコード所有使用者のアクセスを制御するシステム。
【請求項３８】
この電池電源の状態をこの作動制御装置により監視する電池電源を更に含む請求項３７の操作制御システム。
【請求項３９】
電気機器へのアクセス制御用作動制御システムが
少なくとも一個の一使用者アクセスコードと、
少なくとも一個の二使用者アクセスコードと、
作動及び動作停止モードと、
少なくとも一個のプログラム可能な特性と、
少なくともこのプログラム可能な特性作動期間がこの少なくとも一個のプログラム可能な特性のそれぞれを使用者が設定する少なくとも一個のプログラム可能な特性作動期間と、この第一使用者アクセスコード、このプログラム可能な特性選択及びこのプログラム可能な特性作動期間を入力する入力手段
を有するシステムで、
この内部制御メンバーがこの少なくとも一個の第一使用者アクセスコード或いはこの少なくとも一個の第二使用者アクセスコードの一つを正しい入力無しにはこの装置の作動を禁止するシステム。
【請求項４０】
この第一使用者アクセスコードにより使用者がこの少なくとも一個のプログラム可能な特性、少なくとも一個のプログラム可能な特性作動期間をプログラムでき且つこの機器を作動できる請求項３９の作動システム。
【請求項４１】
この第二使用者アクセスコードにより使用者がこの機器を作動できる請求項３９の作動システム。
【請求項４２】
この読み取り画面がこの使用者指示を反映する読み取り画面を更に含む請求項３９の作動システム。
【請求項４３】
電源  内部作動メンバー及び運転者を有する機器用作動制御装置で、この制御装置が
所定の使用者アクセスコードと
このプログラム可能な作動期間がこのアクセスコード入力後に入力する使用者決定のプログラム可能な作動期間と、
この入力装置がこの所定使用者アクセスコードとこのプログラム可能な作動期間を入力するための入力装置と
この読み取り画面がこの作動制御装置の状況を提供する読み取り装置と
この制御メンバーが入力装置、この電源、この運転者及びこの作動メンバーと直接交信する内部制御メンバー
を有する装置で、
この内部制御メンバーがこの所定の使用者コード入力無しにはこの電源からこの運転者への送電を阻止する事によりこの装置の作動を阻止し、この使用者コードの入力によりこの電源からこの作動メンバーへの送電を可能にしプログラム可能な作動期間中運転者はこの機器を連続且つ断続的に操作でき且つこのプログラム可能な作動期間終了時にこの機器の操作を阻止する装置。
【請求項４４】
この制御装置への非使用者のアクセスを阻止する錠締め装置を更に含む請求項４３の作動制御装置。
【請求項４５】
少なくとも一個の機器用の作動制御システムで、この機器が電源  内部作動メンバー及び運転者を有し、この制御装置が
この入力装置が使用者アクセスコードを入力できる入力装置と
この読み取り画面がこの作動制御装置の状況を提供する読み取り装置と
この内部制御メンバーがこの入力装置、この電源、この運転者及びこの作動メンバーと直接交信する内部制御メンバーと
この使用者がプログラムできるタイマーがこの制御メンバーと交信し且つ使用者決定期間中この電源からこの運転者に送電出来る使用者がプログラム可能なタイマーで、この使用者決定期間がこの使用者によりこの使用者コード入力後にこの入力装置に入力でき、
この時計メンバーが使用者入力を基に起動或いは作動停止する時計メンバー
を有する装置で、
この内部制御メンバーがこの使用者コード入力無しにはこの電源からこの運転者への送電を阻止する事によりこの装置の作動を阻止し、この使用者コードの入力によりこの電源から作動メンバーへの送電を許可し使用者決定期間中運転者はこの機器を連続且つ断続的に操作でき、この使用者決定期間をこのプログラム可能なタイマーにより監視するシステム。
【請求項４６】
錠締めシステム使用の電子機器使用を制御する方法で
ａ．この電子機器を起動し、
ｂ．この錠前システム作動を選択し、
ｃ．使用者コードを入力し、
ｄ．少なくとも一個のプログラム可能な特性を選び、
ｅ．プログラム可能な特性作動期間を選び
ｆ．このプログラム可能な特性及びこのプログラム可能な特性作動期間をこの錠締めシステム記憶装置に保存する
手順からなる方法。    
【請求項４７】
全ての意図したプログラム可能な特性を選択するまで手順ｃ−ｆを繰り返す手順を更に含む請求項４６の方法。
【請求項４８】
時限作動を可能にするプログラム可能な特性を選択する手順を更に含む請求項４６の方法。
【請求項４９】
この時限作動を時計設定により設定するように選ぶ手順を更に含む請求項４８の方法。
【請求項５０】
この時限作動をプログラム入力時から作動分数でこの時限作動を選ぶ手順を更に含む請求項４８の方法。
【請求項５１】
節電モードを可能にするプログラム可能な特性を選択する手順を更に含む請求項４６の方法。
【請求項５２】
開始時間と終了時間をこの節電モードにプログラムする手順を更に含む請求項５１の方法。
【請求項５３】
遅延開始モードを有効化するプログラム可能な特性を選択する手順を更に含む請求項４６の方法。
【請求項５４】
開始時間と終了時間をこの遅延開始モードにプログラムする手順を更に含む請求項５１の方法。
【請求項５５】
部分作動モードを有効化するプログラム可能な特性を選択する手順を更に含む請求項４６の方法。
【請求項５６】
所定のプログラム可能な期間中電話が送信でき且つ電話の受信を阻止するように選ぶ手順を更に含む請求項５５の方法。
【請求項５７】
所定のプログラム可能な期間中電話を受信でき且つ送信を阻止するように選ぶ手順を更に含む請求項５５の方法。
【手続補正２】
【補正対象書類名】明細書
【補正対象項目名】０００５
【補正方法】変更
【補正の内容】
【０００５】
本作動制御装置は外ケース、電源、入力装置、少なくとも一個の作動／動作停止メンバー及び制御メンバーを有する機器に用いる。別チップやプログラム組み込み既存チップのよう制御メンバーは機器固有の入力装置を有し使用者のアクセスコード入力を可能にするか又は携帯電話機のボタンのように機器固有の入力装置を使用するかのいずれかである。好ましい実施形態では携帯電話機、コンピューター、又はカメラ画面のような読み取り画面を本機器の状況監視に使用する。読み取りは又音声出力でもよい。制御メンバーは入力装置、読み取り画面、電源及び作動／動作停止メンバーと交信する。制御メンバーは使用者コード入力なしでの本機器の作動を禁止する。制御メンバーは又所定時間中テレビの特定チャネルが又他の時間にはその他のチャネルが見れるように、電子機器の内部機能を制御するようプログラムできる。このシステムを二次アクセスコードによりこの二次アクセスコード所有者のみが本装置を起動できるようプログラムできる。本装置はあらかじめ決めた期間中携帯電話機から呼び出せるがコールインできないとかその逆にする事もできる。電子部品からなる器具はいかなる機器も本開示器具に組み込んで特定期間中どの特性が作動するかを選択的に決める能力を持つことができる。カメラやビデオカメラなどのディジタル機器ではそのディジタル技術の多様性によりその機能は増加し、ここに一個のディジタル機器に関して開示した機能のいかなるものでもその他のディジタル機器に組み込む事ができる事に留意すべきである。
【手続補正３】
【補正対象書類名】明細書
【補正対象項目名】０００７
【補正方法】変更
【補正の内容】
【０００７】
開示の発明は多機能を持つプログラム可能な機器に関し、限定はされないが本装置の特定部分へのアクセスを制限し盗難を阻止し所定期間中その使用を制限したり排除するコード化錠締め機構を有する。開示の錠締め装置により得られる特有の優位性に加えて、単にその存在だけで安全性は更に優位になる。錠締め装置を備えた商品を購入した人には売り手がコードを持っていなければ、この商品は多分盗まれる事は明白である。開示の錠締め装置は商品の作動を制御し、使用者コードの入力無しでの作動を阻止する。コードへのアクセス無しでは本商品は役に立たなく且つ売れない。
【手続補正４】
【補正対象書類名】明細書
【補正対象項目名】０００８
【補正方法】変更
【補正の内容】
【０００８】
携帯電話機、掌パイロット及びその他の手操作のデータアクセス装置、カメラ、コンピューター、ビデオレコーダー、テレビ、ＭＰ３プレーヤーなどの電子機器はこの部類に入る。
【手続補正５】
【補正対象書類名】明細書
【補正対象項目名】００１２
【補正方法】変更
【補正の内容】
【００１２】
開示装置はコンピューターに装填すると電源と直接接続でき又チップ、ハードドライブ或いは他の保存／記憶装置にプログラムできる；追加時間の購入無しにはコンピューターを自動停止するコンピューター使用時間販売のビジネスが可能になる。家庭での使用において本装置によりコンピューターやテレビ、携帯電話機、ビデオレコーダー、ビデオカメラなどのような他の電子機器を最大アクセスコードのない人が使用できる時間量や特定期間を予定できる。従ってコンピューター、ビデオレコーダー又テレビは宿題時間が済んでからのみ起動出来る。コンピューターは本装置のキーボードプログラミングに特に適するが、キーボードインターフェースは開示の錠締め装置のいかなるものも含む事ができる。本装置のマイクロチップ及び／又はハードドライブに組み込んだプログラムによりキーボードへのキー入力する事により作動する簡単なタイマー設定が可能になる。選択肢とし直接コード化キーをキーボードに組み込み自動的にプログラムにアクセスし且つ作動、設定変更などを可能にする。コンピューターの締め出しプログラムは従来技術として既知であるが、これらはイエスかノーの手法でコンピューター使用を完全に締め出す。本開示装置により所定期間に達するまで不定期に又は特定の予定時間枠内のいずれかで所定期間中コンピューターにアクセスできる。状況に応じて使用者は本装置使用時間量をとぎれる無しに延長出来る。例えば本システムは所定時刻にコンピューターを立ち上げ特定期間使用後コンピューターは前もってプログラムした作動時刻まで使用できないように設定出来る。これにより両親はコンピューター又は他の電子装置や機器の使用予定を午後６時から午後１０時まで作動しその後翌日午後６時まで又は他のプログラムが応答するまで作動停止するようにプログラムした後に家を出ることができる。時間制約を予定する使用者は未許可のプログラム変更を防止するため一次使用者コードを持つプログラムを設定するか又はそれをプログラムしても良い。
【手続補正６】
【補正対象書類名】明細書
【補正対象項目名】００１３
【補正方法】変更
【補正の内容】
【００１３】
プログラム可能な本開示特性の一つは携帯電話機と関連して以下に詳述するように部分作動特性である。この特性を用いて使用者は電子機器の一部使用を制限でき、例えばコンピューターを特定抹殺期間中ウエブアクセス、インスタントメッセージ、電子メール、特定ホームページや特定タイプのサイトのような特定のプログラムを制限するようにプログラムできる。例えば子供が特定期間以外はネットサーフィンする事を禁止できる。或いはコンピューターゲームは制限時間だけアクセス出来るが、コンピューターは文書処理や他の宿題関連の活動には使用できる。この特性により一次使用者のプログラム化に基づく制限付きでコンピューターを使用できる。更に副使用者身分証明書も電子機器への個々のアクセス許可に使用できる。これは年齢差制限のある子供達に好都合で年下の子供に不許可のプログラムへのアクセスや長距離電話をかける事を年上の子供には許可する。
【手続補正７】
【補正対象書類名】明細書
【補正対象項目名】００２６
【補正方法】変更
【補正の内容】
【００２６】
これまで記述したように携帯電話機は盗難防止が困難な小さい大きさの高価値商品である。大抵の人は常に自分の電話機を置き去りにするのでオンオフ作動型ロックの実装では盗難を防止できないであろう；電話機は盗まれると多分スイッチを入れ泥棒は単に電話機のスイッチを入れっぱなしにするであろう。本開示システムを組み込むと、泥棒はあらかじめ指定した時間に電話機の作動中止を停止出来ず一旦この指定時間が終了すると電話機は使用できない事が判るであろう。本開示システムを用いて使用者は所定時間が過ぎるか又は代わりに事前にセットした時刻に電話機が永久作動停止するようプログラムできる。例えばこれにより使用者は午後９時に或いは代わりにタイマーが単にプログラム時から３時間後に作動停止するようシステムに伝えることが出来る。一旦作動停止すると、装置はアクセスコードの再入力を必要とする。本開示システムは更に使用者が電話機を所定時間
で作動停止し、期間終了時に自動的に再作動するよう設定出来る。所定期間で電話機の作動を切りその後使用者プログラミングに基づく所定時間に自動的に再起動出来る能力は会議、映画或いは電話機のスイッチを切る必要のある他の幾つかの活動への参加者に便利である。電話機は自動的に再作動するので、使用者は電話機に再度スイッチを入れるのを心配する必要がない。好ましい実施形態では電話機は使用者がプログラムした期間中電話を受けるかかけるかのいずれかを、更には標準着信／送信機能を設定出来る。かくしてもし電話機を貸し出し、電話機所有者が自分の電話を他人に傍受されたくなれば、この電話機は電話機所有者の着信電話全てを留守番電話か又はその他の自動転送場所に転送するように設定でき、他方では電話機保有者が電話を外にかけることを可能にする。逆モードでは電話機保有者は電話を受信できるが、外にかけるのに電話機を使用できない。
【手続補正８】
【補正対象書類名】明細書
【補正対象項目名】００２８
【補正方法】変更
【補正の内容】
【００２８】
遅延作動をいかなる装置にプログラムして特定時間に又は特定量の時間が経過後起動／作動停止できる。従って建築現場で用いる電動工具のような応用では、現場監督は工具を３０分内に起動し更に８時間作動し続けるようプログラムできる。
【手続補正９】
【補正対象書類名】明細書
【補正対象項目名】００２９
【補正方法】変更
【補正の内容】
【００２９】
いかなる電子機器でも命令は種々の方法で設定できる。ディジタルカメラや携帯電話機のような画面を内蔵する機器では、画面は既存設定を監視し新しい設定をプログラムするのに利用できる。画面なしの機器では外部発光ダイオード表示部、音声記動又は本装置と使用者間で交信出来るその他の方法を組み込める。既存命令ボタン又はプログラムボタンを用いて本装置をプログラムしたり追加ボタンを製造時にそのデザインに組み込む事が出来る。更に遠隔、赤外線、ブルートゥース、インターネット、電話機、携帯電話機又はその他の有線又は無線装置をプログラムする手段として利用できる。
【手続補正１０】
【補正対象書類名】明細書
【補正対象項目名】００３０
【補正方法】変更
【補正の内容】
【００３０】
携帯電話機にプログラムするときの使用者の手順例を図１８に図示する。一旦本装置が起動すると６００、本システムは使用者が錠締めシステムを起動したいのか６０２或いは既に起動しているならシステムを作動停止するのか７０１を聞き、後者の場合装置の動作を停止する。
作動停止
携帯電話機にプログラムするときの使用者の手順例を図１８に図示する。一旦本装置が起動すると６００、本システムは使用者が錠締めシステムを起動したいのか６０２或いは既に起動しているならシステムを作動停止するのか７０１を聞き、後者の場合装置の動作を停止する。
作動停止
携帯電話機にプログラムするときの使用者の手順例を図１８に図示する。一旦本装置が起動すると６００、本システムは使用者が錠締めシステムを起動したいのか６０２或いは既に起動しているならシステムを作動停止するのか７０１を聞き、後者の場合装置の動作を停止する。
図１３にシステムの再設定の追加選択肢が加えられ、使用者が本システムを作動停止するか再設定８０３出来る。もし本システムが作動停止した場合には、使用者は自分の個人コードを入力し８１２作動停止８１２か又は再設定８１４のいずれを望むかを選択する。作動停止８１２を選ぶと本システムは標準操作８１０にすすみ、再び最長作動時間の好ましい制限に組み込まれる。使用者が再設定８１４を選ぶと本システムは時限作動手順８１６にすすみ、システムは図１２に示すように矢印Ａ１０００及びＡ１００２に従って継続する。矢印Ａ１００４はプログラム可能な選択肢の終わりで“いいえ”選択から元に戻る役目を果たす事に留意すべきである。
起動
もし使用者がプログラムモードに“はい”と答えるか６２０又はシステムを起動すると６０２、図１１と図１２に示すように本システムは使用者にプログラムしたいか否かを聞き個人コード請求に進み６０４、もしコードが正しけプログラム可能な選択に進むか７０６又は再び最長操作期間への後退作動６１０に進む。これにより以前に設定したパラメーターをプログラム変更が必要になるまで繰り返すことが出来る。しかしもし使用者が“はい”と答えると、システムは個人コード入力を要請し６０４もし正しければ、使用者は選択可能な幾つかのモードを与えられる。これらのモードはスクロールにより見る事ができ、画面サイズによるが全てが表示され矢印キーで選択出来る。この図に関して検討した手順は決して本発明を制限しようとするものではなく他の順序や代替えのやり方などを組み込む事が出来ることを留意すべきである。
【手続補正１１】
【補正対象書類名】明細書
【補正対象項目名】００３１
【補正方法】変更
【補正の内容】
【００３１】
時限作動モード６１４により使用者は時計設定６３６又は分数６４０を用いて本装置の作動を停止できる。時計設定６３６を選択した場合には、使用者は装置が作動停止する日時６３８を入力する。もし分６４０要素を選んだ場合には、作動停止前の分数が要請される６４２。好ましくはあらかじめセットした最長作動時間が優先しその後使用者コードが電話機再起動に必要になる。応答として “いいえ”を 選択すると節電モード６２０作動が提示され、もしこれを入力すると使用者は開始時刻６４４と終了時刻６４６を設定しその間本装置は作動出来ない。“いいえ”にすると再度節電モード６２０を迂回し遅延開始６２６モードに進み使用者は入力時刻以後の時刻に開始時刻６４８の開始を設定出来る。終了時刻６５０は節電モード終了時刻６４６と同様である。部分作動モード６３４により使用者は電話をかけられる事６５２と電話を受信できること６５４とを区別できる。電話をかける６５２作動を選ぶと、使用者は開始時刻６５６と終了時刻６５８を入力しその間電話が可能である。電話の受信６５４でも開始時刻６６０と終了時刻６６２が入力出来る。使用者がいずれの要素も選択しない場合本システムは錠締めシステムモード６０４の起動に戻る。
【手続補正１２】
【補正対象書類名】明細書
【補正対象項目名】００３２
【補正方法】変更
【補正の内容】
【００３２】
最終コストによるが本装置は開始時刻６４４から終了時刻６４６の間作動しない節電モード６２０や本装置を午後８時に作動停止６３８する遅延作動６１４のような異なる多重命令を受け入れるようにプログラムできる。
延長時間
本装置は図２０に示すように延長時間特性８２２を備えることができ、本装置はこれまで指摘したようにこの特性を備えられるが、セキュリティの考えを無視するような終わりのない延長時間を容認出来ない事に留意すべきである。この実施形態では使用者は本装置を起動し８０２、システムの作動／再設定を選択し８０３、個人コードを入力すると８１２、延長時間の選択８２２が現れる。延長時間選択８２２では使用者は現プログラム時間を延長し最初のプログラム時間に等しいか或いはそれより短く出来る。延長時間量はメーカーが決定し使用者は変更出来ないであろう。例えば電話機は前もってプログラムした最長作動期間満了時か或いはあらかじめ設定した延長数８２２のあとに作動停止できる。
【手続補正１３】
【補正対象書類名】明細書
【補正対象項目名】００３３
【補正方法】変更
【補正の内容】
【００３３】
図１２では以前の図に示した特定開始時刻を入力するよりむしろデフォルト時間が入力されている。それ故一旦使用者が装置を起動すると７００、確実に応答して錠締めシステムを起動し７０２、個人コードを入力し７０４、時限作動モード７０６が現れる。時限作動モードを明確に選択すると７０６、デフォルト開始時刻７０８が表示され、使用者は時間を分単位７１２又は時間単位７１４で増加７１０又は減少７１８する機会を得る。分及び時間の使用は一例に過ぎず時間区分は日、週或いはメーカー選択のいかなる増加量でも良い。デフォルト終了時刻７１６は同様に調整する。この図の各モードはデフォルト時間選択を提供するが、図１２に示したデフォルトモードは図１１に示したタイマー設定モードと組み合わせる事が出来ることに留意すべきである。代わりに使用者はデフォルトかタイマー設定を選択する事が出来る。
【手続補正１４】
【補正対象書類名】明細書
【補正対象項目名】００３４
【補正方法】変更
【補正の内容】
【００３４】
図１３はカメラ、テレビ、単一型の作動のみを有するその他装置により適用できる。換言すると携帯電話機の送信と受信或いはビデオレコーダーの録画と再生のような二重作動を持たない。図１３に開示したシステムは図１２に説明したのと同じ方法で使用出来る事に留意すべきである。
【手続補正１５】
【補正対象書類名】明細書
【補正対象項目名】００３５
【補正方法】変更
【補正の内容】
【００３５】
図１４の実施形態では使用者は一個或いはそれ以上の特定事象とその運転時間を予定できる。ここに使用されているようにこの事象はコンピュータープログラム、テレビショー、ラジオ局又は電子機器により見たり聞いたりするその他のいかなる特定事象を含む。
例えば午後７時と就寝時間の間見ることの出来る局を制御することにより、１２才の子供は特定のショーを見ることができるのみで、就寝時刻にはテレビはもはや使用できない。これを達成するには一次使用者かプログラムする使用者は装置を起動し９００、プログラムするのか９３４見るのか９３２を聞かれる。プログラムを入力すると９３４一次使用者は錠締めシステムを起動するのか９０２又は本システムを作動停止するのか９０３を聞かれる。以前の実施形態にあるようにもし一次使用者が本システムの起動しないと決めると、個人コード９０４が要請され本装置は再び最長運転期間で標準作動９１０に進む。もし使用者がプログラムした作動に進みたければ６１４、開始時間９４０，終了時間９４２、使用者コード９４６及び番組コード９５２を入力する。これにより本システムに二次使用者コード９４６合致の二次使用者か又は非プログラム使用者は開始時間９４０にプログラムコード９５２を入力した番組を見ることが出来るがその他の番組は遮断されている事を伝える。プログラミングを容易にするため多重使用者コード９４６を入力したりリストから除外できる。一旦プログラムコード９５２を入力すると、使用者はプログラミング事象９１４を繰り返すか９４８或いはその事象を終了９５０出来る。プログラムした事象９１４に戻ると、使用者は他の事象をプログラムするか又は図１３に示した例のように本装置に含まれるその他のモードを継続する事が出来る。代わりに次のモード９５４に番組コード９５２要素から直接アクセス出来る。
【手続補正１６】
【補正対象書類名】明細書
【補正対象項目名】００４４
【補正方法】変更
【補正の内容】
【００４４】
【図１】錠締め機器を組み込んだ手動工具例の側面図であり；
【図２】本発明の錠締めアーム内部とソレノイドの断面図であり；
【図３】制御配置例の平面図であり；
【図４】手動工具に用いた錠締め装置の配線例回路図であり；
【図５】図１の手動工具内部の側断面図であり；
【図６】開示錠締め装置使用の手動工具の代替え実施形態の側断面図であり；
【図７】空圧工具システムに用いた本装置の側面図であり；
【図８】空圧工具と一緒に使用する錠締め装置に用いる配線回路図であり；
【図９】電子機器に用いる配線回路図であり；
【図１０】アナログ機能を組み込んだ錠締め装置に用いる配線回路図であり；
【図１１】多作動装置をプログラムするための流れ図であり；
【図１２】単一作動装置をプログラムするための流れ図であり；
【図１３】リセット選択を有する電子機器をプログラムするための流れ図であり；且つ
【図１４】特定の事象、時間及び使用者を指定した電子機器をプログラムするための流れ図である。
【国際調査報告】
2006510959.tif 000017